(57)【要約】【課題】パネル自体が落下防止機能を有するパネル取付構造を得ること。【解決手段】パネル取付構造３０は、縁部に穴１５が形成されたフロントパネル１０が開放面に取り付けられた筐体１と、開放面の少なくとも一部を覆う主面部９ａと、主面部９ａの一端部に形成された爪１４とを備え、爪１４が穴１５に挿入された状態で筐体１に装着されるパネル９とを有し、爪１４は、パネル９の主面部９ａの面内方向において曲げを有する形状である。【選択図】図７
2019040997.tif 000002
【特許請求の範囲】
【請求項１】
縁部に穴が形成された額縁状部材が開放面に取り付けられた筐体と、
前記開放面の少なくとも一部を覆う主面部と、前記主面部の一端部に形成された突起部とを備え、該突起部が前記穴に挿入された状態で前記筐体に装着されるパネルとを有し、
前記突起部は、前記主面部の面内方向において曲げを有する形状であることを特徴とするパネル取付構造。
【請求項２】
前記突起部は、前記主面部の面内方向において直角の曲げを少なくとも２箇所に有する形状であることを特徴とする請求項１に記載のパネル取付構造。
【請求項３】
前記突起部は、フック状であることを特徴とする請求項２に記載のパネル取付構造。
【請求項４】
前記突起部は、前記主面部側から奇数回目の曲げ方向と偶数回目の曲げ方向とが逆であることを特徴とする請求項２に記載のパネル取付構造。
【請求項５】
前記突起部は、前記主面部に対して傾きを有することを特徴とする請求項１から４のいずれか１項に記載のパネル取付構造。
【請求項６】
請求項１から５のいずれか１項に記載のパネル取付構造を備え天井面又は壁面に設置されることを特徴とする電気機器。
【発明の詳細な説明】
【技術分野】
【０００１】
本発明は、筐体の開放面の少なくとも一部を覆うパネルと筐体とのパネル取付構造及びこのパネル取付構造を備えた電気機器に関する。
【背景技術】
【０００２】
天井面又は壁面に設置される送風機及び照明器具といった電気機器に取り付けられるパネルは、パネルを電子機器本体に固定する締結部材が取り外された状態でもパネルが落下することを防止するために落下防止金具又は落下防止ワイヤーを取り付ける構造を取ることが多いが、据付作業者が落下防止金具を施工し忘れることもある。
【０００３】
特許文献１には、落下防止金具がバネ性を有する弾性材料から成り、照明器具の側板に設けた角穴に落下防止金具の爪を引掛け、パネルといったオプションに設けた棒状体を落下防止金具の穴にはめ、照明器具とオプションを固定することで、落下防止金具の施工忘れを防止する構造が提示されている。
【０００４】
特許文献１に開示される発明は、落下防止金具の施工忘れをなくし、施工の信頼性を高めるために、オプションの製品本体への固定を、落下防止金具を介して行うことで、落下防止金具を取り付けない限りオプションを取り付けられない構造となっている。また、特許文献１に開示される発明では、落下防止金具とオプションとを紐状体で接続することにより、オプションの落下を防止している。
【先行技術文献】
【特許文献】
【０００５】
【特許文献１】実開平６−３１０１５号公報
【発明の概要】
【発明が解決しようとする課題】
【０００６】
しかしながら、上記特許文献１に開示される発明は、落下防止金具と紐状体の分、照明器具とオプションを直接固定する構造と比べ部品点数が増え、紐状体を介して落下防止金具をオプションに連結させる分、組立工程も増えるという課題があった。
【０００７】
本発明は、上記に鑑みてなされたものであって、パネル自体が落下防止機能を有するパネル取付構造を得ることを目的とする。
【課題を解決するための手段】
【０００８】
上述した課題を解決し、目的を達成するために、本発明は、縁部に穴が形成された額縁状部材が開放面に取り付けられた筐体と、開放面の少なくとも一部を覆う主面部と、主面部の一端部に形成された突起部とを備え、突起部が穴に挿入された状態で筐体に装着されるパネルとを有する。突起部は、主面部の面内方向において曲げを有する形状である。
【発明の効果】
【０００９】
本発明によれば、パネル自体が落下防止機能を有するパネル取付構造を得られるという効果を奏する。
【図面の簡単な説明】
【００１０】
【図１】本発明の実施の形態１に係る送風機の斜視図
【図２】実施の形態１に係る送風機の正面図
【図３】実施の形態１に係る送風機の横断面図
【図４】実施の形態１に係る送風機のパネルの表側の斜視図
【図５】実施の形態１に係る送風機のパネルの裏側の斜視図
【図６】実施の形態１に係る送風機の筐体の端部の正面図
【図７】実施の形態１に係る送風機のパネルの取り付け手順を示す図
【図８】実施の形態１に係る送風機のパネルの側面図
【図９】本発明の実施の形態２に係る送風機の斜視図
【発明を実施するための形態】
【００１１】
以下に、本発明の実施の形態に係るパネル取付構造及び電気機器を図面に基づいて詳細に説明する。なお、この実施の形態によりこの発明が限定されるものではない。
【００１２】
実施の形態１．
図１は、本発明の実施の形態１に係る送風機の斜視図である。送風機１００は、筐体１の内部に背面から前面に向かう気流を発生させ、前方へ吹き出す電気機器であり、天井面又は壁面に設置される。なお、図１中の矢印は、送風機１００から吹き出される気流を表している。送風機１００は、設置面に固定される据付部２０と、据付部２０によって回動可能に支持される筐体１とを備えている。送風機１００は、筐体１を回動させて設置面に対する筐体１の傾きを変えることで、水平方向から鉛直下方まで気流の吹出方向を変えることができる。
【００１３】
図２は、実施の形態１に係る送風機の正面図である。図３は、実施の形態１に係る送風機の横断面図である。送風機１００は、外郭を形成する左右に細長い箱状の筐体１と、筐体１内に設置された複数の送風機ユニット２とを備えている。送風機ユニット２は、筐体１の背面から前面まで貫通する風路３を有する。風路３の筐体１の前面側は、ベルマウス状になっている。風路３には、羽根車４と、羽根車４を駆動する電動機５とが設置され、羽根車４と電動機５とは、背面側からこの順で並んでいる。
【００１４】
筐体１の背面側には、筐体１の全面にわたって吸込口６が形成されている。一方、筐体１の前面側には、筐体１の全長にわたって上下に２段に分割されたスリット状の吹出口７が形成されている。吸込口６及び吹出口７は、複数の送風機ユニット２で共通して形成されている。
【００１５】
電動機５の下流側には、吹出口７を分割する三角形断面のガイド８が電動機５側に凸部を向けて配置されている。ガイド８の吹出口７側には、ガイド８内に収容されるリード線を隠すパネル９が取り付けられる。
【００１６】
図４は、実施の形態１に係る送風機のパネルの表側の斜視図である。図５は、実施の形態１に係る送風機のパネルの裏側の斜視図である。パネル９は、筐体１の前面の少なくとも一部を覆う主面部９ａと、主面部９ａの一端部に形成された突起部である爪１４とを有する。爪１４は、主面部９ａから延びる基部１４ａと、基部１４ａの先端から延びる中間部１４ｂと、中間部１４ｂの先端から延びる先端部１４ｃとを有する。主面部９ａの面内方向において、基部１４ａが延びる方向と中間部１４ｂが延びる方向とは直交している。また、主面部９ａの面内において、中間部１４ｂが延びる方向と先端部１４ｃが延びる方向とは直交している。実施の形態１において、爪１４は、主面部９ａ側から１番目の曲げの方向と２番目の曲げの方向とが同じでありフック状となっている。主面部９ａ側から１番目の曲げとは、基部１４ａと中間部１４ｂとの間の曲げである。主面部９ａから２番目の曲げとは、中間部１４ｂと先端部１４ｃとの間の曲げである。
【００１７】
パネル９の裏側には、ねじ穴１２が形成されたパネル取付部品１１が取り付けられている。図６は、実施の形態１に係る送風機の筐体の端部の正面図である。筐体１の開放面である前面には、額縁状部材であるフロントパネル１０が取り付けられている。フロントパネル１０は、縁部に穴１５が形成されている。穴１５の上下方向における幅Ｗ５は、基部１４ａの幅Ｗ１、中間部１４ｂの幅Ｗ２及び先端部１４ｃの幅Ｗ３よりも広く、爪１４全体の幅Ｗ４よりも狭い。なお、基部１４ａの幅とは、基部１４ａが延びる方向と垂直な方向の寸法である。中間部１４ｂの幅とは、中間部１４ｂが延びる方向と垂直な方向の寸法である。先端部１４ｃの幅とは、先端部１４ｃが延びる方向の寸法である。爪１４全体の幅とは、基部１４ａが延びる方向と垂直な方向の寸法である。
【００１８】
筐体１の一部は、フロントパネル１０の枠内に露出している。筐体１のフロントパネル１０の枠内に露出している部分にはパネル取付用抜き穴１３が形成されている。パネル９及び筐体１は、爪１４が穴１５に挿入された状態で筐体１にパネル９が装着される構造であるパネル取付構造３０を構成する。
【００１９】
図７は、実施の形態１に係る送風機のパネルの取り付け手順を示す図である。組立時は、図７に示すように、筐体１に取り付けられた額縁状のフロントパネル１０に設けられている穴１５に爪１４の先端部１４ｃを矢印Ａ方向から挿入する。続いて、図７に矢印Ｂで示すように、パネル９を回すことにより、中間部１４ｂ及び基部１４ａが穴１５を通り、穴１５の奥まで爪１４が挿入される。爪１４が穴１５の奥まで挿入された状態において、筐体１のパネル取付用抜き穴１３とパネル９のねじ穴１２との位置が合う。筐体１の背面側からパネル取付用抜き穴１３を通してねじ穴１２にねじを固定することにより、パネル９は筐体１に固定される。爪１４の穴１５への挿入が不完全であると、筐体１のパネル取付用抜き穴１３とパネル９のねじ穴１２との位置が合わず、ねじでパネル９を筐体１に固定できない。
【００２０】
図８は、実施の形態１に係る送風機のパネルの側面図である。爪１４は、パネル９の主面部９ａに対して傾きを有している。これにより、爪１４が穴１５に挿入されていない場合は、爪１４がフロントパネル１０と干渉してパネル９とフロントパネル１０との間に隙間が生じるため、組立作業者は正しく組み立てられていないことに組立工程の途中で気付くことができる。また、爪１４を穴１５に挿入したがねじによる固定を忘れた場合には、パネル９がフロントパネル１０から浮いたり、パネル９の爪１４が設けられていない側の端が自重により下がってパネル９が筐体１から外れかかる可能性がある。しかし、爪１４はフック状となっており、パネル９を１８０度回転させないと穴１５から抜けない構造となっている。パネル９の爪１４が設けられていない側の端が自重によって下がっても、パネル９は９０度程度しか回転しないため、爪１４を穴１５に挿入することにより、送風機１００の施工後にパネル９が落下することは防止される。
【００２１】
実施の形態１に係るパネル取付構造３０は、パネル９自体が落下防止機能を有するため、パネル９の落下防止を実現するために部品点数及び工数が増加することがない。
【００２２】
上記の説明において、爪１４は、主面部９ａの面内方向において２箇所に曲げを有する形状であったが、半円状の曲げを一つ有する形状であっても同様に、パネル自体に落下防止機能を持たせることができる。
【００２３】
実施の形態２．
図９は、本発明の実施の形態２に係る送風機の斜視図である。実施の形態２に係る送風機１００のパネル１６は、主面部１６ａの一端部に突起部である爪１７が形成されている。爪１７は、主面部１６ａから延びる基部１７ａと、基部１７ａの先端から延びる中間部１７ｂと、中間部１７ｂの先端から延びる先端部１７ｃとを有する。爪１７は、パネル１６の主面部１６ａに対して傾きを有している。主面部１６ａの面内方向において、基部１７ａが延びる方向と中間部１７ｂが延びる方向とは直交している。また、主面部１６ａの面内において、中間部１７ｂが延びる方向と先端部１７ｃが延びる方向とは直交している。爪１７は、主面部１６ａ側から奇数回目の曲げの方向と偶数回目の曲げの方向とが逆であり、複数段の段差形状となっている。具体的には、爪１７は、２段の段差形状であり、主面部１６ａ側から１番目の曲げとは、基部１７ａと中間部１７ｂとの間の曲げである。主面部１６ａから２番目の曲げとは、中間部１７ｂと先端部１７ｃとの間の曲げである。
【００２４】
パネル１６の裏面には、図５に示した実施の形態１に係るパネル９と同様に、ねじ穴１２が形成されたパネル取付部品１１が装着される。筐体１は、図６に示した実施の形態１に係る筐体１と同様であり、穴１５が形成されたフロントパネル１０が前面に装着されている。フロントパネル１０は、縁部に穴１５が形成されている。穴１５の幅Ｗ１０は、基部１７ａの幅Ｗ６、中間部１７ｂの幅Ｗ７及び先端部１７ｃの幅Ｗ８よりも広く、爪１７全体の幅Ｗ９よりも狭い。なお、基部１７ａの幅とは、基部１７ａが延びる方向と垂直な方向の寸法である。中間部１７ｂの幅とは、中間部１７ｂが延びる方向と垂直な方向の寸法である。先端部１７ｃの幅とは、先端部１７ｃが延びる方向の寸法である。爪１７全体の幅とは、基部１７ａが延びる方向と垂直な方向の寸法である。パネル１６及び筐体１は、爪１７が穴１５に挿入された状態で筐体１にパネル１６が装着される構造であるパネル取付構造３０を構成する。
【００２５】
組立時は、筐体１に取り付けられたフロントパネル１０に設けられている穴１５に、段差に沿ってスライドさせながら爪１７を挿入する。すなわち、穴１５に爪１７の先端部１７ｃを挿入する。続いて、パネル１６を回すことにより、穴１５に中間部１７ｂを通す。そして、パネル９を逆方向に回すことにより、基部１７ａを穴１５に通すと、穴１５の奥まで爪１７が挿入される。爪１７が穴１５の奥まで挿入された状態において、筐体１のパネル取付用抜き穴１３とパネル１６のねじ穴１２との位置が合うため、爪１７の穴１５への挿入が不完全であると、ねじでパネル１６を固定できない。
【００２６】
また、爪１７を穴１５に挿入したがねじによる固定を忘れた場合には、パネル１６がフロントパネル１０から浮いたり、パネル１６の爪１７が設けられていない側の端が自重により下がって、パネル１６が筐体１から外れかかる可能性がある。しかし、爪１７は複数段の段差形状となっており、パネル１６の爪１７が設けられていない側の端が自重によって下がっても、パネル１６は９０度程度しか回転しないため、爪１７を穴１５に挿入することにより、送風機１００の施工後にパネル１６が落下することは防止される。
【００２７】
実施の形態２に係るパネル取付構造３０は、パネル１６自体が落下防止機能を有するため、パネル１６の落下防止を実現するために部品点数及び工数が増加することがない。
【００２８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２９】
１  筐体、２  送風機ユニット、３  風路、４  羽根車、５  電動機、６  吸込口、７  吹出口、８  ガイド、９，１６  パネル、９ａ，１６ａ  主面部、１０  フロントパネル、１１  パネル取付部品、１２  ねじ穴、１３  パネル取付用抜き穴、１４，１７  爪、１４ａ，１７ａ  基部、１４ｂ，１７ｂ  中間部、１４ｃ，１７ｃ  先端部、１５  穴、２０  据付部、３０  パネル取付構造、１００  送風機。
【図１】
2019040997.tif 000003
【図２】
2019040997.tif 000004
【図３】
2019040997.tif 000005
【図４】
2019040997.tif 000006
【図５】
2019040997.tif 000007
【図６】
2019040997.tif 000008
【図７】
2019040997.tif 000009
【図８】
2019040997.tif 000010
【図９】
2019040997.tif 000011